【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】  メダル転動支持板上をメダルが転動しうるようにメダルを転動させるメダル転動機構と、該メダル転動支持板上を転動するメダルを弾き返すメダル弾き返し機構と前記メダル転動支持板に対し前記メダルを立てて前記メダル弾き返し機構に向い転動させることができるメダル起立転動助成機構とを備えたことを特徴とするメダルヒットゲーム機。
【請求項２】  前記メダル転動支持板は、前記メダル転動機構から前記メダル弾き返し機構に向って下方へ傾斜したことを特徴とする請求項１記載のメダルヒットゲーム機。
【請求項３】  前記メダル転動機構は、前記メダル転動支持板を貫通して該メダル転動支持板上にメダルを供給するメダル供給装置を備えたことを特徴とする請求項２記載のメダルヒットゲーム機。
【請求項４】  前記メダル転動機構は、前記メダル転動支持板に対し直角にメダルを起立させた状態にて前記メダル弾き返し機構に向いメダルを転動させるよう付勢する転動付勢手段を備えたことを特徴とする請求項１記載のメダルヒットゲーム機。
【請求項５】  前記メダル起立転動助成機構は、前記メダル転動支持板には、前記メダル供給装置の供給端から前記メダル弾き返し機構に向って、該メダル転動支持板に対し直角に形成されたメダル案内溝であることを特徴とする請求項１ないし請求項４いずれか記載のメダルヒットゲーム機。
【請求項６】  前記メダル案内溝の底部にメダルの移動速度を加速または減速するメダル加減速機構が設けられたことを特徴とする請求項５記載のメダルヒットゲーム機。
【請求項７】  前記メダル加減速機構は、前記メダル案内溝に沿って架設されたベルト手段であり、該ベルト手段は、前記メダル弾き返し機構に向って移動しまたは前記メダル供給装置の供給端に向って移動することを特徴とする請求項６記載のメダルヒットゲーム機。
【請求項８】  前記メダル転動支持板の奥側に、前記メダル弾き返し機構にて弾き返された成功メダルを受け入れる成功メダル受け入れ口が１個または複数個配設されたことを特徴とする請求項１ないし請求項７記載のメダルヒットゲーム機。
【請求項９】  前記成功メダル受け入れ口には受け入れられたメダルを検出する検出手段が設けられたことを特徴とする請求項８記載のメダルヒットゲーム機。
【請求項１０】  前記メダルヒットゲーム機で用いられたゲームメダルは全て重力によって集められ、前記メダル転動機構に供給されることを特徴とする請求項１ないし請求項９いずれか記載のメダルヒットゲーム機。
【請求項１１】  前記成功メダル受入れ口にゲームメダルが所定数入賞した場合に、メダルヒットゲーム機内空間に特別賞メダル受け入れ手段が出現することを特徴とする請求項８または請求項９記載のメダルヒットゲーム機。
【請求項１２】  前記メダル弾き返し機構は、前記メダル転動支持板に沿い旋回する弾き返し部材を備え、該弾き返し部材には、前記メダル転動機構に向い上方から下方へ傾斜した弾き返し面が形成されたことを特徴とする請求項１ないし請求項７いずれか記載のメダルヒットゲーム機。
【請求項１３】  前記メダル弾き返し機構は、前記弾き返し部材の弾き返し方向へ付勢するバネ部材のバネ力に打勝って該弾き返し部材を弾き返し方向と逆方向へ駆動する弾き返し操作部材を備えたことを特徴とする請求項１２記載のメダルヒットゲーム機。
【請求項１４】  前記弾き返し操作部材の弾き返し操作に連動して前記メダル転動機構が動作することを特徴とする請求項１３記載のメダルヒットゲーム機。
【請求項１５】  表示装置が設けられ、ゲーム選択手段によって、複数種類のメダルヒットゲームのいずれかが選択されて該表示装置に表示され、該表示装置には、ゲームの進行およびゲームの結果が表示されることを特徴とする請求項１ないし請求項１４いずれか記載のメダルヒットゲーム機。
【請求項１６】  個人または複数人で打率を競うことを特徴とする請求項１５記載のメダルヒットゲーム機。
【請求項１７】  ゲーム実行するためにプレイヤーから入力されたメダルまたはコインの量を検出する入力検出手段と、
ゲーム実行の結果に基づいてプレイヤーに払い出されたメダルまたはコインの量を検出する出力検出手段と、
複数のゲームの中から少なくとも一つのゲームを選択する選択手段と、
前記入力検出手段にて検出されたメダルまたはコインの量と前記出力検出手段にて検出されたメダルまたはコインの量とを比較し、前記複数のゲームのペイアウト率をそれぞれ算出するペイアウト率算出手段と、を備えるゲーム装置において、
前記選択手段は、前記ペイアウト率算出手段にて算出されたペイアウト率に従って、複数のゲームの中から少なくとも一つのゲームを選択することを特徴とするゲーム装置。
【請求項１８】  ペイアウト率算出手段は、前記複数のゲームのペイアウト率を所定回数ゲームが実行される度に、算出することを特徴とする請求項１７に記載のゲーム装置。
【請求項１９】  第１ゲーム実行のためにプレイヤーから入力されたメダルまたはコインの量を検出する入力検出手段と、
前記入力されたメダルまたはコインの量から所定の割合分を払い出し用メダルまたはコインを蓄積する払出蓄積手段と、
前記払出蓄積手段にて蓄積された払い出しメダルまたはコインが所定値以上である場合に、前記第１ゲームとは異なる第２ゲームを実行し、第２ゲーム実行の結果に従って前記払出蓄積手段にて蓄積された払い出しメダルまたはコインを払い出す制御手段と、を備えたことを特徴とするゲーム装置。
【請求項２０】  第１ゲーム実行結果に従ってプレイヤーに払い出されるメダルまたはコインの量を検出する出力検出手段をさらに備え、
前記制御手段は、前記入力検出手段にて検出されたメダルまたはコインの量の方が、前記出力検出手段にて検出されたメダルまたはコインの量よりも多いときに、前記第１ゲームとは異なる第２ゲームを実行することを特徴とする請求項１９に記載のゲーム装置。
【請求項２１】  複数のプレイヤーが並列にゲームを実行可能に設けられた複数のゲームフィールドと、前記複数のゲームフィールドで実行されるゲームをそれぞれ制御する制御手段と、を備えるゲーム装置において、
前記制御手段は、所定人数以上がゲームフィールドでゲームを実行していることを検出した場合に、検出されたゲームフィールドで互いに関連するゲームを実行することを特徴とするゲーム装置。
【請求項２２】  前記複数のゲームフィールドのいずれか一つのゲームフィールドで行われるゲーム実行のためにプレイヤーから入力されたメダルまたはコインの量を検出する入力検出手段と、
前記入力されたメダルまたはコインの量から所定の割合分を払い出し用メダルまたはコインを蓄積する払出蓄積手段と、
前記制御手段は、前記互いに関連するゲームを実行結果に基づいて、少なくとも１人に前記払出蓄積手段にて蓄積された払い出しメダルまたはコインを払い出すことを特徴とする請求項２１に記載のゲーム装置。
【手続補正２】
【補正対象書類名】明細書
【補正対象項目名】０００６
【補正方法】変更
【補正の内容】
【０００６】
前記請求項１記載の発明は、前記したように構成されているので、前記メダル転動機構により前記メダル転動支持板を転動するメダルの転動面に対し前記メダル弾き返し機構の弾き返し方向が正確に一致しないと、前記メダルが円滑に弾き返されず、プレイヤーの技巧性が要求されて、ゲームの興趣が高い。
そして、円板状のメダルは球に比べて大きさの割に軽く、比較的小さな弾き返し力でメダルを勢い良く弾き返すことが可能となる。
しかも、前記メダル起立転動助成機構により、前記メダル転動支持面上で、該支持面に対し直角に起立させてメダルを転動させることができる。
【手続補正３】
【補正対象書類名】明細書
【補正対象項目名】００１０
【補正方法】変更
【補正の内容】
【００１０】
しかも、請求項５記載のように発明を構成することにより、前記メダル起立転動助成機構を極めて簡単な構造で安価に構成することができる。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】